(57)【要約】【課題】細長い帯板形状の木質片による多数のウッドタイルを、建築物の屋内の壁面に美観に優れた装飾材として効率良く取り付けてゆくことのできるウッドタイルパネルを提供する。【解決手段】ウッドタイルパネル１０は、矩形平面形状の基板１２の表面に、帯板形状のウッドタイル１１を複数列に多数並べて固着することで形成される。基板１２の表面には、平行に延設する固着ガイド溝１３が複数設けられており、ウッドタイル１１の裏面には、長手方向に延設する固着凸部１４が設けられている。隣接するウッドタイル１１の端面同士を突き合わせた状態で、各列の固着ガイド溝１３に固着凸部１４を係止して接着することで、基板１２の表面を覆って多数のウッドタイル１１が一体として接合される。基板１２の表面には、ウッドタイル１１が未だ固着されていないガイド溝露出部１５ａ，１５ｂ，１５ｃが設けられている。【選択図】図２
2011094393.tif 000002
【特許請求の範囲】
【請求項１】
矩形平面形状を有する基板の表面に、帯板形状を有する木製のウッドタイルを複数列に多数並べて配置して固着することにより形成されるウッドタイルパネルであって、
前記基板の表面には、一方の一対の対向する辺部と平行に延設する固着ガイド溝が、他方の一対の対向する辺部の間に連続して複数設けられており、前記ウッドタイルの裏面には、当該ウッドタイルの長手方向に延設する固着凸部が設けられており、
列方向に隣接する前記ウッドタイルの端面同士を突き合わせた状態で、前記基板の前記固着ガイド溝に前記ウッドタイルの前記固着凸部を係止して接着することで、前記固着ガイド溝に沿った各列に前記ウッドタイルが複数固着されていることにより、基板の表面の略全体を覆って多数の前記ウッドタイルが一体として接合されており、
且つ前記基板の表面には、前記ウッドタイルが未だ固着されていないガイド溝露出部が、少なくとも２箇所に設けられているウッドタイルパネル。
【請求項２】
前記一方の一対の対向する辺部と平行に延設する固着ガイド溝が、等ピッチで複数設けられており、前記ウッドタイルは、隣接する前記固着ガイド溝間のピッチと略等しい幅を有している請求項１記載のウッドタイルパネル。
【請求項３】
少なくとも２箇所の前記ガイド溝露出部は、同じ列の両端部に配置される前記ウッドタイルを固着しないことで設けられている請求項１又は２記載のウッドタイルパネル。
【請求項４】
前記並べて配置される多数のウッドタイルは、長さ及び／又は厚さが異なる複数種類のウッドタイルによって構成されている請求項１〜３のいずれかに記載のウッドタイルパネル。
【請求項５】
前記ウッドタイルは、木製材料の余材を用いて形成さたものである請求項１〜４のいずれかに記載のウッドタイルパネル。
【請求項６】
請求項１〜５のいずれかに記載のウッドタイルパネルを用いたウッドタイルパネルの取付構造であって、
前記ウッドタイルパネルの裏面を下地面に押し付けた状態で、前記ガイド溝露出部に打込み固定部材を前記下地面に向けて打ち込むことで、前記ウッドタイルパネルが前記下地面を覆って取り付けられており、且つ取り付けられた前記ウッドタイルパネルの前記ガイド溝露出部に、当該ガイド溝露出部の形状に合致する形状の前記ウッドタイルが固着されているウッドタイルパネルの取付構造。
【請求項７】
前記ウッドタイルパネルにおける前記ウッドタイルの列方向の端部に前記ガイド溝露出部が設けられており、隣接する前記ウッドタイルパネルの前記ガイド溝露出部が同じ列で連続するように前記ウッドタイルパネルが前記下地面を覆って複数取り付けられており、同じ列で連続する前記ガイド溝露出部に跨って、これらの連続する前記ガイド溝露出部が一体となった形状に合致する形状の前記ウッドタイルが固着されている請求項６記載のウッドタイルパネルの取付構造。
【発明の詳細な説明】
【技術分野】
【０００１】
本発明は、ウッドタイルパネル及びウッドタイルパネルの取付構造に関し、特に、矩形平面形状を有する基板の表面に、帯板形状を有する木製のウッドタイルを複数列に多数並べて配置して固着することにより形成されるウッドタイルパネル、及び該ウッドタイルパネルの取付構造に関する。
【背景技術】
【０００２】
例えば建築物の外壁や、キッチン、トイレ、浴室等の水廻り部分の表面仕上材として、例えば天然石材、タイル材、石膏ボード材、木材、鉄板材、硬質プラスチック材等からなるタイル状部材が用いられる場合がある。タイル状部材は、外壁や水廻り部分の壁面に設けられた下地材に対して、接着剤やモルタル等を介して一枚一枚固着したり、下地材に設置された係合片等を介して一枚一枚係着したりすることで、壁面に一体として取り付けられるのが一般的である（例えば、特許文献１、特許文献２参照）。
【０００３】
また、外壁や水廻り部分の壁面に設けられた下地材に対して、タイル状部材を一枚一枚取り付けて行く作業は多くの手間がかかることから、下地材にタイル状部材を予め取り付けて形成したパネル部材を用いて、このパネル部材を壁面に設置することで、多数のタイル状部材を壁面に一度に取り付ける技術も提案されている（例えば、特許文献３参照）。
【０００４】
さらに、近年、建築物の屋内装飾用のタイル状部材として、間伐材や木製材料の余材を用いた木質片によるものが着目されており、これらの木質片を板状のシートに千鳥状に並べて多数固着した装飾用壁パネルも開発されている（例えば、特許文献４参照）。
【先行技術文献】
【特許文献】
【０００５】
【特許文献１】特開２００６−２９９７７７号公報
【特許文献２】特開２００３−２５３８５１号公報
【特許文献３】特開平１１−１１７５０１号公報
【特許文献４】特開２００４−２８５７０３号公報
【発明の概要】
【発明が解決しようとする課題】
【０００６】
一方、例えば間伐材や木製材料の余材から木質片をタイル状部材として採取する場合、これらの木質片を効率良く得るためには、例えば幅が２０〜１００ｍｍ程度、厚さが５〜３０ｍｍ程度の細長い帯板形状のタイル状部材とすることが好ましい。このようなことから、細長い帯板形状の木質片による多数のタイル状部材を、美観に優れた装飾材として建築物の屋内の壁面に効率良く取り付けることを可能にする新たな技術の開発が望まれている。
【０００７】
本発明は、細長い帯板形状の木質片による多数のタイル状部材（ウッドタイル）を、建築物の屋内の壁面に美観に優れた装飾材として効率良く取り付けてゆくことのできるウッドタイルパネル及び該ウッドタイルパネルの取付構造を提供することを目的とする。
【課題を解決するための手段】
【０００８】
本発明は、矩形平面形状を有する基板の表面に、帯板形状を有する木製のウッドタイルを複数列に多数並べて配置して固着することにより形成されるウッドタイルパネルであって、前記基板の表面には、一方の一対の対向する辺部と平行に延設する固着ガイド溝が、他方の一対の対向する辺部の間に連続して複数設けられており、前記ウッドタイルの裏面には、当該ウッドタイルの長手方向に延設する固着凸部が設けられており、列方向に隣接する前記ウッドタイルの端面同士を突き合わせた状態で、前記基板の前記固着ガイド溝に前記ウッドタイルの前記固着凸部を係止して接着することで、前記固着ガイド溝に沿った各列に前記ウッドタイルが複数固着されていることにより、基板の表面の略全体を覆って多数の前記ウッドタイルが一体として接合されており、且つ前記基板の表面には、前記ウッドタイルが未だ固着されていないガイド溝露出部が、少なくとも２箇所に設けられているウッドタイルパネルを提供することにより、上記目的を達成したものである。
【０００９】
そして、本発明のウッドタイルパネルは、前記一方の一対の対向する辺部と平行に延設する固着ガイド溝が、等ピッチ（等しい中心間間隔）で複数設けられており、前記ウッドタイルは、隣接する前記固着ガイド溝間のピッチ（中心間間隔）と略等しい幅を有していることが好ましい。
【００１０】
また、本発明のウッドタイルパネルは、少なくとも２箇所の前記ガイド溝露出部が、同じ列の両端部に配置される前記ウッドタイルを固着しないことで設けられていることが好ましい。
【００１１】
さらに、本発明のウッドタイルパネルは、前記並べて配置される多数のウッドタイルが、長さ及び／又は厚さが異なる複数種類のウッドタイルによって構成されていることが好ましい。
【００１２】
さらにまた、本発明のウッドタイルパネルは、前記ウッドタイルが、木製材料の余材を用いて形成さたものであることが好ましい。
【００１３】
また、本発明は、上記ウッドタイルパネルを用いたウッドタイルパネルの取付構造であって、前記ウッドタイルパネルの裏面を下地面に押し付けた状態で、前記ガイド溝露出部に打込み固定部材を前記下地面に向けて打ち込むことで、前記ウッドタイルパネルが前記下地面を覆って取り付けられており、且つ取り付けられた前記ウッドタイルパネルの前記ガイド溝露出部に、当該ガイド溝露出部の形状に合致する形状の前記ウッドタイルが固着されているウッドタイルパネルの取付構造を提供することにより、上記目的を達成したものである。
【００１４】
そして、本発明のウッドタイルパネルの取付構造は、前記ウッドタイルパネルにおける前記ウッドタイルの列方向の端部に前記ガイド溝露出部が設けられており、隣接する前記ウッドタイルパネルの前記ガイド溝露出部が同じ列で連続するように前記ウッドタイルパネルが前記下地面を覆って複数取り付けられており、同じ列で連続する前記ガイド溝露出部に跨って、これらの連続する前記ガイド溝露出部が一体となった形状に合致する形状の前記ウッドタイルが固着されていることが好ましい。
【発明の効果】
【００１５】
本発明のウッドタイルパネル又はウッドタイルパネルの取付構造によれば、細長い帯板形状の木質片による多数のタイル状部材（ウッドタイル）を、建築物の屋内の壁面に美観に優れた装飾材として効率良く取り付けてゆくことができる。
【図面の簡単な説明】
【００１６】
【図１】本発明の好ましい一実施形態に係るウッドタイルパネルを用いて内壁面が装飾されたダイニングキッチンの略示斜視図である。
【図２】本発明の好ましい一実施形態に係るウッドタイルパネルの正面図である。
【図３】本発明の好ましい一実施形態に係るウッドタイルパネルを壁面に取り付けた状態を示す部分破断断面図である。
【図４】（ａ），（ｂ）は、隣接するウッドタイルパネルを壁面に取り付ける状況を説明する、周囲のウッドタイルパネルを省略して示す正面図である。
【図５】ウッドタイルパネルによる壁面にコンセントを取り付ける状況を説明する（ａ）、（ｃ）は斜視図、（ｂ）、（ｄ）は正面図である。
【発明を実施するための形態】
【００１７】
本発明の好ましい一実施形態に係るウッドタイルパネル１０は、図１に示すように、例えば住宅建築部に設けられたダイニングキッチンの内壁面を覆う装飾用の壁パネルとして用いられるものであり、屋内の居住空間であるダイニングキッチンの内壁面に取り付けられて、例えばウッドタイル１１の木目による木質感や、照明による陰影のコントラストによって、趣のある美観に優れた意匠性が得られるようにするものである。また、本実施形態のウッドタイルパネル１０は、細長い帯板形状の多数のウッドタイル１１を、簡易な作業によって、縦横に並べて配置した状態でダイニングキッチンの内壁面を覆って効率良く取り付けてゆくことを可能にする構成を備えている。
【００１８】
すなわち、本実施形態のウッドタイルパネル１０は、図２及び図３に示すように、矩形平面形状を有する基板１２の表面に、帯板形状を有する木製のウッドタイル１１を複数列に多数並べて配置して固着することにより形成される装飾用の壁パネルであって、基板１２の表面には、一方の一対の対向する辺部１２ａと平行に延設する固着ガイド溝１３が、他方の一対の対向する辺部１２ｂの間に連続して複数設けられており、ウッドタイル１１の裏面には、当該ウッドタイル１１の長手方向に延設する固着凸部１４（図３参照）が設けられており、列方向に隣接するウッドタイル１１の端面同士を突き合わせた状態で、基板１２の固着ガイド溝１３にウッドタイル１１の固着凸部１４を係止して接着することで、固着ガイド溝１３に沿った各列にウッドタイル１１が複数固着されていることにより、基板１２の表面の略全体を覆って多数のウッドタイル１１が一体として接合されており、且つ基板１２の表面には、ウッドタイル１１が未だ固着されていないガイド溝露出部１５ａ，１５ｂ，１５ｃが、少なくとも２箇所（本実施形態では１６箇所）に設けられている。
【００１９】
また、本実施形態では、基板１２の表面に形成された一方の一対の対向する辺部１２ａと平行に延設する固着ガイド溝１３が、等ピッチａ（図３参照）で複数設けられており、ウッドタイル１１は、隣接する固着ガイド溝間１３のピッチａと略等しい幅ｂを有している。
【００２０】
さらに、本実施形態では、基板１２の表面に並べて配置される多数のウッドタイル１１は、長さｌ及び／又は厚さｔが異なる複数種類（本実施形態では９種類）のウッドタイル１１によって構成されている。
【００２１】
本実施形態では、ウッドタイルパネル１０を構成する基板１２は、例えば厚さＴが５．２ｍｍの合板からなり、例えば縦幅Ｈが３４８ｍｍ、横幅Ｂが１０９２ｍｍの横長矩形の正面形状を有している。また、本実施形態では、基盤１２の上下の縁部に沿って横方向に延設する辺部が、一方の一対の対向する辺部１２ａとなっており、基盤１２の左右の縁部に沿って縦方向に延設する辺部が、他方の一対の対向する辺部１２ｂとなっている。そして、本実施形態では、基盤１２の表面には、例えば基盤１２の上側の縁部から１５ｍｍ離れた位置から開始して、２９ｍｍの等ピッチａ（等しい中心間間隔）で下方に順次配置された、例えば溝幅６ｍｍ、溝深さ３ｍｍ程度の矩形断面形状を有する１２列の固着ガイド溝１３が、上下の一対の対向する辺部１２ａと平行に延設すると共に、左右の一対の対向する辺部１２ｂの間に連続して延設した状態で形成されている。これらの固着ガイド溝１３による各列に沿って、多数のウッドタイル１１が、裏面の固着凸部１４を固着ガイド溝１３に係着することによって取り付けられている。
【００２２】
基板１２と共にウッドタイルパネル１０を構成する多数のウッドタイル１１は、本実施形態では、例えばチーク材の余材から帯板形状に加工して形成されたものであり、これによって、従来は廃棄処分されていた高級な木材であるチーク材の余材を、ウッドタイル１１として有効に利用することが可能になる。また、余材から帯板形状に形成されたチーク材には、適宜オイル仕上やウレタン塗装等を施して、ウッドタイル１１とすることもできる。
【００２３】
そして、本実施形態では、ウッドタイル１１は、基盤１２の表面に設けられた隣接する固着ガイド溝１３間の２９ｍｍのピッチａと略等しい、例えば２８ｍｍの幅ｂの帯板形状に形成されると共に、長さｌ及び／又は厚さｔが異なる９種類のウッドタイル１１として形成されている。すなわち、多数のウッドタイル１１は、例えば長さｌが２７３ｍｍ、厚さｔが６ｍｍの第１ウッドタイルと、長さｌが２７３ｍｍ、厚さｔが１２ｍｍの第２ウッドタイルと、長さｌが２７３ｍｍ、厚さｔが１８ｍｍの第３ウッドタイルと、長さｌが１８２ｍｍ、厚さｔが６ｍｍの第４ウッドタイルと、長さｌが１８２ｍｍ、厚さｔが１２ｍｍの第５ウッドタイルと、長さｌが１８２ｍｍ、厚さｔが１８ｍｍの第６ウッドタイルと、長さｌが９１ｍｍ、厚さｔが６ｍｍの第７ウッドタイルと、長さｌが９１ｍｍ、厚さｔが１２ｍｍの第８ウッドタイルと、長さｌが９１ｍｍ、厚さｔが１８ｍｍの第９ウッドタイルの９種類のウッドタイル１１によって構成されている。
【００２４】
また、本実施形態では、各ウッドタイル１１には、これらの裏面から突出して、当該ウッドタイル１１の幅方向中央部を長手方向に縦断して延設する、固着凸部１４が各々設けられている。本実施形態では、固着凸部１４は、基盤１２の表面に設けられた固着ガイド溝１３に嵌め込むことが可能な、例えば突出幅６ｍｍ、突出高さ２．５ｍｍ程度の矩形断面形状を有する凸条部であり、各ウッドタイル１１の長手方向の両端部間に連続して設けられている。
【００２５】
基板１２の表面に多数のウッドタイル１１を複数列に多数並べて配置して固着することで、これらが一体となったウッドタイルパネル１０を形成するには、例えば各ウッドタイル１１の裏面に設けられた固着凸部１４の周面に固着用の接着剤を塗着した状態で、基板１２の表面に形成された固着ガイド溝１３をガイドとして、当該固着ガイド溝１３に沿って固着凸部１４を嵌め込むようにしながら、多数のウッドタイル１１を基板１２の表面に順次取り付けてゆく。
【００２６】
ここで、ウッドタイル１１の取り付け作業は、長さｌ及び／又は厚さｔが異なる９種類のウッドタイル１１を、これらが壁面の全体に分散して配置されるように、予め定められた一定の規則や順番に従って、各列の固着ガイド溝１３に沿って多数のウッドタイル１１を取り付けて行くことが好ましい。これによって、長さｌ及び／又は厚さｔが異なる９種類のウッドタイル１１による深みのある木質感や、照明による陰影のコントラストをさらに効果的に発揮させることが可能になる。
【００２７】
また、本実施形態では、固着ガイド溝１３をガイドとして、列方向に隣接するウッドタイル１１の端面同士を突き合わせながら、固着ガイド溝１３に固着凸部１４を係止して接着することで、各列にウッドタイル１１を容易に位置決めしながら固着してゆくことができるので、高度な熟練を要することなく、例えば隣接する列のウッドタイル１１の間に１ｍｍ程度の隙間を保持した正確な位置に、多数のウッドタイル１１を整然と取り付けてゆくことが可能になる。
【００２８】
さらに、本実施形態では、ガイド溝露出部１５ａ，１５ｂ，１５ｃが設けられる箇所については、例えば固着凸部１４の周面に固着用の接着剤を塗着することなく、ガイド溝露出部１５ａ，１５ｂ，１５ｃに相当する形状のウッドタイル１１を仮固定して、他のウッドタイル１１と共に基板１２の表面に取り付ける。しかる後に、仮固定したウッドタイル１１を取り外すことで、ウッドタイルパネル１０の所望の位置に、ガイド溝露出部１５ａ，１５ｂ，１５ｃを容易に設けることができる。これによって、本実施形態では、同じ列における一方の端部に設けられた、最も長いウッドタイル１１の２／３の長さの第１ガイド溝露出部１５ａと、他方の端部に設けられた、最も長いウッドタイル１１の１／３の長さの第２ガイド溝露出部１５ｂとが、各々６箇所の列に配設されることになる。またウッドタイルパネル１０の中間部分には、第１ガイド溝露出部１５ａや第２ガイド溝露出部１５ｂが設けられた列以外の列に、最も長いウッドタイル１１と同様の長さの第３ガイド溝露出部１５ｂが配設されることになる。
【００２９】
そして、上述の構成を備える本実施形態のウッドタイルパネル１０は、以下のような取付構造によって屋内の壁面に沿って容易に取り付けることができる。すなわち、本実施形態によれば、床面１６に設置したタイル床見切材１７（図３参照）や、先行して設置した下段のウッドタイルパネル１０の基板１２の上端面に支持させて、これらの上端面に設置すべきウッドタイルパネル１０の基板１２の下端面を密着載置すると共に、ウッドタイルパネル１０の裏面を例えば石膏ボードや合板による下地面１８に押し付ける。この状態で、ガイド溝露出部１５ａ，１５ｂ，１５ｃに、好ましくは固着ガイド溝１３の部分において、例えば固定ビスや固定釘等の打込み固定部材（図示せず）を下地面１８に向けて打ち込むことにより、ウッドタイルパネル１０は、下地面１８を覆って安定した状態で壁面に取り付けられることになる。しかる後に、取り付けられたウッドタイルパネル１０のガイド溝露出部１５ａ，１５ｂ，１５ｃに、これらの形状と合致する形状のウッドタイル１１を、固着ガイド溝１３に固着凸部１４を係止しつつ接着剤を介して固着することで、取り付け作業を行う。
【００３０】
また、本実施形態では、図２に示すように、ウッドタイルパネル１０におけるウッドタイル１１の列方向の端部に第１ガイド溝露出部１５ａや第２ガイド溝露出部１５ｂが設けられており、図４（ａ）に示すように、横方向（列方向）に隣接して設置されるウッドタイルパネル１０のガイド溝露出部１５ａ，１５ｂが同じ列で連続するように、ウッドタイルパネル１０が下地面１８を覆って複数取り付けられている。そして、図４（ｂ）に示すように、同じ列で連続するガイド溝露出部１５ａ，１５ｂに跨って、これらの連続するガイド溝露出部１５ａ，１５ｂが一体となった形状に合致する形状のウッドタイル１１が固着されるようになっている。これによって、横方向（列方向）に隣接するウッドタイルパネル１０を、一体として連続するように壁面に取り付けることが可能になる。
【００３１】
これらによって、本実施形態のウッドタイルパネル１０及びウッドタイルパネル１０の取付構造によれば、細長い帯板形状の木質片による多数のウッドタイル１１を、簡易な構成及び簡単な作業によって、建築物の屋内の壁面に美観に優れた装飾材として効率良く取り付けてゆくことが可能になる。
【００３２】
図５（ａ）〜（ｄ）は、本実施形態のウッドタイルパネル１０によって覆われた壁面に、コンセントプレート１９を取り付ける際の施工例を説明するものである。図５（ａ）〜（ｄ）に示す施工例では、例えばコンセントプレート１９を取り付けるべき所定の箇所に、ウッドタイルパネル１０を切り欠いて矩形形状の取付け開口２０を形成した後に、これの周囲の部分が面一になるように、最も厚い１８ｍｍの厚さｔのウッドタイル１１の面に合わせて、１２ｍｍ、又は６ｍｍの厚さｔを有する各ウッドタイル１１の表面に、厚さ調整用のコマ状部材２１を接着剤等を用いて取り付ける。ここで、コマ状部材２１は、所定の形状に裁断した３ｍｍの厚さの板辺２１ａを複数枚重ね合わせて接合することで、所望の厚さ及び形状となるよう容易に形成されたものである。
【００３３】
そして、ウッドタイルパネル１０に形成された取付け開口２０の周囲の面一になった表面部分に、コンセントプレート１９の外周フランジ部１９ａの裏面を密着させて固定することで、ウッドタイルパネル１０によって覆われた壁面に、コンセントプレート１９を、美観を損うことなく容易に取り付けることが可能になる。
【００３４】
なお、本発明は上記実施形態に限定されることなく種々の変更が可能である。例えば、基板の一対の対向する辺部と平行に延設する固着ガイド溝は、等ピッチで設けられている必要は必ずしもなく、また固着ガイド溝は一列のウッドタイルに対して複数列設けられていても良い。また、ウッドタイルの裏面に設けられる固着凸部は、ウッドタイルの中央を縦断して設けられていなくても良い。さらに、ガイド溝露出部は、ウッドタイルパネルを下地面に安定した状態で取り付けることが可能な所定の位置に、少なくとも２箇所に設けられていれば良く、また同じ列の両端部に配置される必要は必ずしもない。さらにまた、多数のウッドタイルとして、長さ及び／又は厚さが異なる複数種類のウッドタイルを用いる必要は必ずしもなく、ウッドタイルは、木製材料の余材を用いて形成さたものである必要は必ずしもない。
【００３５】
また、本発明のウッドタイルパネルは、ダイニングキッチン等の屋内の居住空間の内壁面の他、天井面やその他の部位に取り付けて用いることもできる。
【符号の説明】
【００３６】
１０  ウッドタイルパネル
１１  ウッドタイル
１２  基板
１２ａ  一方の一対の対向する辺部
１２ｂ  他方の一対の対向する辺部
１３  固着ガイド溝
１４  固着凸部
１５ａ，１５ｂ，１５ｃ  ガイド溝露出部
１８  下地面
【図１】
2011094393.tif 000003
【図２】
2011094393.tif 000004
【図３】
2011094393.tif 000005
【図４】
2011094393.tif 000006
【図５】
2011094393.tif 000007